(57)【要約】【課題】ジャムが発生した後のジャム処理にかかる時間を短縮させることができる画像形成装置を提供する。【解決手段】シートを挟持搬送する第１の状態と、第１の状態を解除する第２の状態と、を切り替えられる。第２の状態から第１の状態への切り替えは、シートを搬送する駆動手段を駆動して搬送路上にシートが存在することが検知された場合には規制される。【選択図】図４
2018010052.tif 000002
【特許請求の範囲】
【請求項１】
シートを挟持搬送する第１の状態と、前記第１の状態を解除する第２の状態と、を切り替え可能な切替手段と、
シートを搬送する駆動手段と、
前記切替手段の前記第２の状態から前記第１の状態への切り替えを、前記駆動手段を駆動して搬送路上にシートが存在することが検知された場合には規制する規制判定手段と、
を有することを特徴とする画像形成装置。
【請求項２】
前記切替手段は、前記シートのジャムが検出された場合、前記第１の状態から前記第２の状態に切り替え、
前記駆動手段による駆動の後、前記搬送路上にシートが存在しないことが検知された場合、前記規制判定手段による規制を解除し、前記第２の状態から前記第１の状態に切り替える
ことを特徴とする請求項１に記載の画像形成装置。
【請求項３】
前記シートのジャムが検出された場合、前記搬送路上のシートの除去を促す通知を行う通知手段、を更に有し、
前記通知手段はさらに、前記切替手段により前記第２の状態から前記第１の状態に切り替えられた後、前記ジャムが解除された旨を通知する、
ことを特徴とする請求項１又は２に記載の画像形成装置。
【請求項４】
前記搬送路上のシートを検出する検出手段、を更に有し、
前記規制判定手段は、前記駆動手段による駆動の後、前記検出手段により前記搬送路上のシートが検出された場合に、前記切替手段の前記第２の状態から前記第１の状態への切り替えを規制する、
ことを特徴とする請求項１乃至３のいずれか１項に記載の画像形成装置。
【請求項５】
シート上に形成された未定着のトナー画像を加熱加圧することで定着させる定着装置をさらに有し、
前記定着装置は、
ヒータに一部が対向するとともに、当該対向している一部が前記ヒータにより発熱し、回転しながらシートに形成されたトナーを加熱する加熱ローラと、
前記加熱ローラとの間でシートを搬送するとともに、シートを前記加熱ローラに押し付ける加圧ローラと、を有し、
前記第１の状態は、前記加熱ローラと前記加圧ローラとがシートのニップ部を形成する状態であり、
前記第２の状態は、前記加熱ローラと前記加圧ローラとが離間している状態である、
ことを特徴とする請求項１乃至４のいずれか１項に記載の画像形成装置。
【請求項６】
シートを搬送する駆動手段を有する画像形成装置において実行される方法であって、
前記シートを挟持搬送する第１の状態と、前記第１の状態を解除する第２の状態と、を切り替え可能な切替工程と、
前記切替工程における前記第２の状態から前記第１の状態への切り替えを、前記駆動手段を駆動して搬送路上にシートが存在することが検知された場合には規制する規制判定工程と、
を有することを特徴とする方法。
【請求項７】
シートを搬送する駆動手段と、
前記駆動手段により搬送されるシートに生じたジャムを解消したことを通知する通知手段と、
前記通知手段によるジャムを解消したことの通知を、前記駆動手段を駆動して搬送路上にシートが存在することが検知された場合には規制する規制判定手段と、
を有することを特徴とする画像形成装置。
【請求項８】
前記駆動手段により搬送されるシートにジャムが生じたことを検知する検知手段と、
ジャムを解消するために開閉されるカバーが開閉されたことを判定する判定手段、とを更に有し、
前記通知手段は、前記検知手段が前記ジャムを検知することに応答してジャムが生じたことを通知し、前記判定手段による前記カバーが開閉されたことの判定に応答して前記駆動手段が駆動された後、前記検知手段が搬送路上にシートが存在しないことを検知することによりジャムを解消したことを通知する、
ことを特徴とする請求項７に記載の画像形成装置。
【請求項９】
シートを搬送する駆動手段を有する画像形成装置において実行される方法であって、
前記駆動手段により搬送されるシートに生じたジャムを解消したことを通知する通知工程と、
前記通知工程におけるジャムを解消したことの通知を、前記駆動手段を駆動して搬送路上にシートが存在することが検知された場合には規制する規制判定工程と、
を有することを特徴とする方法。
【発明の詳細な説明】
【技術分野】
【０００１】
本発明は、圧解除機構を備える画像形成装置および方法に関する。
【背景技術】
【０００２】
従来、画像形成装置において、定着器でジャムが発生した際に、定着器の挟持部が自動で離間するようにした圧解除機構の構成が知られている（特許文献１）。定着器の挟持部が離間する構成により、ジャム処理の際に発生するシートの破れや、定着フィルム破れ等の発生を防止し、適切にジャム処理を行うことができる。
【先行技術文献】
【特許文献】
【０００３】
【特許文献１】特開平７−１２９０１８号公報
【発明の概要】
【発明が解決しようとする課題】
【０００４】
ジャム処理を行った後は、シート検出手段で装置内にその他の残留シートが無いことを判定してから挟持部を挟持状態に戻すことが一般的に行われている。残留シートがある場合は、その残留シートによって再びジャムが発生する恐れがあるからである。
【０００５】
しかしながら、検出手段で残留シートを検出していなくても、破れたシートなどが残っている場合、画像形成再開後にそれが搬送されて検出されることがあり、その場合再度定着器の挟持部を離間させてジャム処理を行う必要がある。その結果、画像形成が実際に再開できるまでの時間が延びてしまうという問題があった。
【０００６】
本発明の目的は、このような従来の問題点を解決することにある。上記の点に鑑み、本発明は、ジャム処理にかかる時間を短縮させることができる画像形成装置および方法を提供することを目的とする。
【課題を解決するための手段】
【０００７】
上記課題を解決するため、本発明に係る画像形成装置は、シートを挟持搬送する第１の状態と、前記第１の状態を解除する第２の状態と、を切り替え可能な切替手段と、シートを搬送する駆動手段と、前記切替手段の前記第２の状態から前記第１の状態への切り替えを、前記駆動手段を駆動して搬送路上にシートが存在することが検知された場合には規制する規制判定手段と、を有することを特徴とする。
【０００８】
また、本発明に係る画像形成装置は、シートを搬送する駆動手段と、前記駆動手段により搬送されるシートに生じたジャムを解消したことを通知する通知手段と、前記通知手段のジャムを解消したことの通知を、前記駆動手段を駆動して搬送路上にシートが存在することが検知された場合には規制する規制判定手段と、を有することを特徴とする。
【発明の効果】
【０００９】
本発明によれば、ジャム処理にかかる時間を短縮させることができる。
【図面の簡単な説明】
【００１０】
【図１】画像形成装置の構成を示す図である。
【図２】制御部のブロック構成を示す図である。
【図３】定着圧解除機構の構成を示す図である。
【図４】ジャム停止後の定着装置の処理を示すフローチャートである。
【発明を実施するための形態】
【００１１】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。なお、同一の構成要素には同一の参照番号を付して、説明を省略する。
【００１２】
図１は、画像形成装置１００の構成を示す概略断面図である。画像形成装置１００には、図１の下側（シート搬送方向上流）から上側（シート搬送方向下流）に向かって順に、シート給送部１０、画像形成部２０、定着部３０（定着装置）、シート排出部４０が設けられている。また、画像形成部２０、定着部３０の右側には、シート再給送部５０が設けられている。シート給送部１０は、給送カセット１１や手差しトレイ１６に積載されたシートＰを画像形成部２０へ給送する。シート検知センサＳ１は、給送カセット１１にシートＰが収納されているか否かを検知するセンサである。
【００１３】
給送カセット１１に収納されたシートＰは、ピックアップローラ１２が回転することによって分離ローラ対１３へ給送される。シートＰが重送している場合は、正転ローラと反転ローラとからなる分離ローラ対１３によって１枚ずつに分離され、実線で示される給送パスＰＳ１に搬送される。給送パス（搬送路）ＰＳ１に搬送されたシートＰは、さらに給送ローラ対１４によって搬送され、回転を停止しているレジストローラ対１５のニップに先端が倣うことでシートＰの斜行が矯正される。レジ前センサＳ２による検出は、シートＰの先端がレジストローラ対１５のニップに到達するタイミングを検知するために用いられる。
【００１４】
手差しトレイ１６からシートＰを給送する場合は、供給ローラ１７および分離パッド１８によってシートを１枚ずつ分離して機内に引き込む。そして、供給ローラ対１９によって給送ローラ対１４に搬送され、レジストローラ対１５でシートＰの斜行が矯正される。斜行が矯正されたシートＰは、所定のタイミングで回転するレジストローラ対１５によって画像形成部２０に搬送される。
【００１５】
画像形成部２０では、感光ドラム２１の表面は、帯電ローラ２２によって均一に帯電されている。レーザユニット２３から画像情報に対応したレーザ光が照射されると、感光ドラム２１のレーザ光が照射された部分は、帯電ローラ２２によって帯電されていた電荷が除去され、画像情報に対応した静電潜像が形成される。形成された静電潜像は、現像ローラ２４によって現像剤（トナー）が付着されることで、現像剤像として可視化される。
【００１６】
現像剤像は、感光ドラム２１の回転によって転写ニップ部Ｎ１に搬送される。このタイミングに合わせて、レジストローラ対１５からシートＰが転写ニップ部Ｎ１に搬送される。搬送されたシートＰは、転写ニップ部Ｎ１において感光ドラム２１と接触する転写ローラ２５に挟持搬送されながら、転写ローラ２５によって感光ドラム２１に形成された現像剤像が転写される。なお、レーザユニット２３から照射されるレーザ光は、ホストコンピュータ等の外部の装置から受信した画像データに基づいて変調制御される。
【００１７】
次に、現像剤像が形成されたシートＰは、定着部３０へ搬送される。定着部３０は、内部に配置されたヒータ等の熱源（発熱部）と、サーミスタ等の温度検出部により所定の定着温度に加熱された加熱ローラ３１と、加熱ローラ３１に接触して所定の圧力で加熱ローラ３１を加圧する加圧ローラ３２とを含む。加熱ローラ３１は、加熱部材の一例であり、加圧ローラ３２は、加圧部材の一例である。以下、熱源をヒータともいう。
【００１８】
加熱ローラ３１は、ヒータに一部が対向すると共に、その対向している一部がヒータにより発熱し、回転しながら記録媒体に形成されたトナーを加熱する。また、ヒータと、加熱ローラ３１と、加圧ローラ３２とによって定着ニップ部Ｎ２が形成されている。現像剤像が形成されたシートＰは、定着ニップ部Ｎ２に送り込まれて、加熱ローラ３１と加圧ローラ３２とで挟持搬送され、加熱加圧されることで、現像剤像がシートＰ上に定着される。定着センサＳ３は、シートＰの先端が定着ニップ部Ｎ２を抜けたことを検知する。現像剤像が定着されたシートＰは、シート排出部４０へと搬送され、排出ローラ対４１によって排出トレイ４２へ排出される。
【００１９】
シートＰの両面に画像を形成する場合は、１面目に画像形成されたシートＰの先端が定着センサＳ３を抜けたあと、シートＰの後端が排出ローラ対４１を抜ける前に排出ローラ対４１を一旦停止させ、さらに排出ローラ対４１を逆回転させる。そのような動作により、シートＰは、反転し、シート再給送部５０へ搬送される。シート再給送部５０へ搬送されたシートＰは、再給送ローラ対５１、５２によって破線で示す再給送パス（搬送路）ＰＳ２を搬送され、再給送ローラ対５３によってレジストローラ対１５に搬送される。そして、レジストローラ対１５によって斜行が矯正された後、転写ニップ部Ｎ１に搬送されることで、シートＰの２面目に現像剤像が形成される。その後、１面目に画像形成したときと同様に定着ニップ部Ｎ２を搬送されることで現像剤像がシートＰに定着され、両面に画像が形成されたシートＰは排出ローラ対４１によって排出トレイ４２へ排出される。
【００２０】
図２は、画像形成装置１００の制御系のブロック構成を示す図である。図２に示すように、制御部２１７は、ＣＰＵ２０１と、ＲＯＭ２０２と、ＲＡＭ２０３と、イメージコントローラ２００と、Ａ／Ｄ変換部２１３を含む。ＣＰＵ２０１は、画像形成装置１００全体を統括的に制御する。ＲＯＭ２０２は、汎用的なＲＯＭであり、例えば、画像形成を行うための各種プログラムやデータを記憶する。ＲＡＭ２０３は、汎用的なＲＡＭであり、例えば、ＲＯＭ２０２から読み出されたプログラムが保持される。ＲＡＭ２０３は、画像データの展開領域やＣＰＵ２０１のワーキングメモリとして用いられる場合には、例えば、シート処理の過程で発生する処理データや演算結果が随時書き込まれ、また、消去される。本実施形態の動作は、例えば、ＣＰＵ２０１が、ＲＯＭ２０２に記憶されたプログラムをＲＡＭ２０３に読み出して実行することにより実現される。
【００２１】
ＣＰＵ２０１は、ホストコンピュータ等、外部の装置から入力された画像情報を、外部インタフェース２１６、イメージコントローラ２００を介して取得し、レーザ光の照射情報に変換する。ＣＰＵ２０１は、画像情報を入力したタイミングで、モータドライバ２１１を介して、搬送モータ（定着モータ２０４、給紙モータ２０５、給送モータ２０５、レジストモータ２０７、転写モータ２０８、再給紙モータ２１０）を駆動する。そして、シートＰが転写ニップ部Ｎ１に到達し、シートＰに現像剤像が転写される。ＣＰＵ２０１は、シートＰが給送パスＰＳに搬送されたタイミングで給送ローラ対１４によって搬送される。外部インタフェース２１６は、画像情報のみでなく、各種コマンドやステータス信号等も送受信する。
【００２２】
システムバス２１２は、ＣＰＵ２０１、ＲＯＭ２０２、ＲＡＭ２０３、イメージコントローラ２００を相互に接続してデータの授受を行う。Ａ／Ｄ変換部２１３は、センサ群２１５からのアナログ信号を入力してＡ／Ｄ変換し、デジタル信号をＣＰＵ２０１に供給する。センサ群２１５は、例えば、不図示のカバー開閉検知センサや温度センサ、レジ前センサＳ２や定着センサＳ３を含む。スイッチ群２１４は、例えば、不図示の電源スイッチや、プリント開始を指示するためのプリントスイッチを含む。
【００２３】
操作部２１８は、パネルやハードウェアキーを含み、ユーザによる画像形成装置１００の各種設定を受け付けたり、画像形成装置１００の各種ユーザインタフェース画面を表示したりする。例えば、操作部２１８は、ジャムの発生箇所などをパネルに表示可能である。また、操作部２１８は、ＬＥＤ等の構成も含んでおり、装置の状態等を通知することも可能である。
【００２４】
本実施形態における画像形成装置１００は、読取装置（スキャナ）等と組み合わされた複写装置、さらには、送受信機能を有するファクシミリ装置、若しくは、それらが統合された多機能型周辺装置（ＭＦＰ）の形態をとるものであっても良い。
【００２５】
図３は、定着装置３０の構成を示す断面図である。定着装置３０は、定着フィルム３０４と、加圧ローラ３１とを有する。加圧部材である加圧ローラ３１は、定着フィルム３０４と対向して定着フィルム３０４に所定圧力で当接して定着ニップＮ１を形成する。定着フィルム３０４を支持する支持板３０９は、加圧板３０７で加圧される構成となっている。
【００２６】
加圧板３０７は、加圧バネ３０３によって加圧ローラ３１側に付勢されている。加圧板３０７は、加圧可変カム３０６の回動によって加圧ローラ３１側に圧力付与されたり圧力解除されたりするようになっている。圧力可変機構である定着モータ２０４、加圧可変カム３０６、加圧板３０７、加圧バネ３０３は、定着フィルム３０４と加圧ローラ３１との当接圧力を圧力付与状態又は圧力解除状態に切り換える。定着モータ２０４は、加圧可変カム駆動用軸３１０で加圧可変カム３０６に接続され、加圧可変カム３０６を駆動する。また、定着モータ２０４は、加圧ローラ３１を駆動する。
【００２７】
この動作は、以下のようになる。加圧可変カム３０６の平部３０６ｂが加圧板３０７に当接すると、加圧バネ３０３の付勢力によって加圧板３０７が支持板３０９を加圧ローラ３１の方へと付勢し、支持板３０９が左方へ移動して加圧ローラ３１が定着フィルム３０４を加圧する。加圧可変カム３０６の凸部３０６ａが加圧板３０７に当接すると、加圧板３０７は加圧ローラ３０５を定着フィルム３０４から離間させるように右方へ移動する。その結果、加圧バネ３０３の付勢力が加圧板３０７や支持板３０９を介して加圧ローラ３１の方へ伝わらないようになっている。
【００２８】
加圧検知部である加圧検知センサ３０８は、加圧可変カム３０６、加圧板３０７、加圧バネ３０３が圧力付与状態又は圧力解除状態であることを検知するセンサである。加圧可変カム３０６が回転して加圧ローラ３１が定着フィルム３０４を加圧している圧力付与状態の場合には、加圧検知センサ３０８は、圧力付与状態を示す検知信号（ＯＮ）を出力する。加圧可変カム３０６が回転して加圧ローラ３１が定着フィルム３０４を加圧していない圧力解除状態の場合には、加圧検知センサ３０８は、圧力解除状態を示す検知信号（ＯＦＦ）を出力する。加圧検知センサ３０８は、例えば、加圧板３０７との間の距離を検出することにより、圧力付与状態と圧力解除状態を検知可能である。
【００２９】
図４は、本実施形態におけるジャム発生時の制御処理を示すフローチャートである。図４の処理は、例えば、ＣＰＵ２０１がＲＯＭ２０２に記憶されているプログラムをＲＡＭ２０３に読み出して実行することにより実現される。図４の処理は、画像形成装置１００の印刷処理においてジャムが発生した際に開始される。
【００３０】
ジャムが発生すると、ＣＰＵ２０１は、定着センサＳ３からの検知信号に基づいて、加熱ローラ３１と加圧ローラ３２の間に記録済みのシートが挟まっているか否かを判定する（Ｓ４００）。シートが挟まっていると判定された場合、定着装置３０を圧力解除状態に切り換える（Ｓ４０１）。一方、シートが挟まっていないと判定された場合、Ｓ４１１に進む。
【００３１】
Ｓ４０２において、ＣＰＵ２０１は、定着装置３０を圧力解除状態に切り換えると、シートの残留位置情報を操作部２１８に表示する（Ｓ４０２）。Ｓ４０２で表示される残留位置情報とは、例えば、シートのジャム位置をグラフィック的に表示したユーザインタフェース画面である。このユーザインタフェース画面により、ユーザに対して、ジャムの解除操作を促す。そして、ＣＰＵ２０１は、カバー開閉検知センサからの検知信号に基づいて、画像形成装置１００のカバーがクローズであるか否かを判定する（Ｓ４０３）。ここで、クローズであると判定された場合、Ｓ４０４に進み、クローズでないと判定された場合、Ｓ４０２からの処理を繰り返す。Ｓ４０３の判定処理は、ユーザがジャム解除処理のためにカバーをオープンし、そして、クローズしたことを検知するものである。
【００３２】
ＣＰＵ２０１は、レジ前センサＳ２、定着センサＳ３からの検知信号に基づいて、搬送路上の機内残留紙の有無を判定する（Ｓ４０４）。ここで、機内残留紙が存在しないと判定された場合、Ｓ４０５に進み、機内残留紙が存在すると判定された場合、Ｓ４０２からの処理を繰り返す。
【００３３】
ＣＰＵ２０１は、Ｓ４０３でクローズと判定され、Ｓ４０４で機内残留紙が無いと判定されると、搬送モータを駆動させるとともに、時間Ｔの計測を開始する（Ｓ４０５）。Ｓ４０５での搬送モータの駆動は、機内残留紙の排出動作のための処理であるが、これは、Ｓ４０４でセンサに検知されなかった機内残留紙を機内から除去するために行われる。本実施形態では、搬送モータの速度をＸ、用紙検知センサ（レジ前センサＳ２または定着センサＳ３）から最も遠い位置までの距離Ｙとして、時間Ｔは、式（１）で算出される。
【００３４】
Ｔ  ＞  Ｙ/Ｘ  ・・・（１）
ここで、距離Ｙには、例えば、レジ前センサＳ２若しくは定着センサＳ３から、各給紙ユニットまでの搬送路上の距離のうち、最も長い距離が用いられる。
【００３５】
ＣＰＵ２０１は、搬送モータの駆動時間がＴとなったか否かを判定する（Ｓ４０６）。ここで、搬送モータの駆動時間がＴとなったと判定された場合、Ｓ４０７に進み、搬送モータの駆動時間がＴとなっていないと判定された場合、Ｓ４０６の処理を繰り返す。なお、Ｓ４０６の判定では、時間Ｔの計測の代わりに、時間Ｔに対応する搬送モータのステップ数の計測が行われても良い。
【００３６】
ＣＰＵ２０１は、時間Ｔの計測を終了すると（Ｓ４０７）、レジ前センサＳ２、定着センサＳ３からの検知信号に基づいて、再度、搬送路上の機内残留紙の有無を判定する（Ｓ４０８）。機内残留紙が存在しないと判定された場合、Ｓ４０９に進み、機内残留紙が存在すると判定された場合、Ｓ４０２からの処理を繰り返す。Ｓ４０８で機内残留紙が存在すると判定された場合とは、Ｓ４０４で検知されなかったシートが時間Ｔ分の排出動作により、Ｓ４０８で新たに検知されたということである。ＣＰＵ２０１は、Ｓ４０２で表示したシートの残留位置情報を取り消し（Ｓ４０９）、定着装置３０の圧力解除状態を加圧状態に切替え、定着装置３０を定着動作が可能な状態とする（Ｓ４１０）。その後、図４の処理を終了する。Ｓ４０９におけるシートの残留位置情報の取り消しは、例えば、ジャムが解除された旨のメッセージであっても良い。
【００３７】
このように、本実施形態では、ジャムが発生した場合で且つ定着部にもシートを検知している場合、定着圧解除を行うとともに、所定時間、搬送路の排出動作を行うことにより、搬送路上の残留紙の有無の確認を行う。そして、残留紙が存在しないことを確認した後に、定着部３０の加圧を行う。そのような構成により、定着部３０の加圧を行ったものの、ジャム除去操作の失敗により搬送路上で残留紙を検知したために、再度、定着圧が解除され、結果的に、不要に解除及び加圧の動作が繰り返されてしまうことを防ぐことができる。
【００３８】
Ｓ４００で定着ローラにシートが挟まっていないと判定された場合（定着センサＳ３がＯＦＦ）、ＣＰＵ２０１は、定着装置３０を圧力解除状態にせず、シートの残留位置情報を操作部２１８に表示する（Ｓ４１１）。そして、ＣＰＵ２０１は、カバー開閉検知センサ２１１からの検知信号に基づいて、画像形成装置１００のカバーがクローズであるか否かを判定する（Ｓ４１２）。ここで、クローズであると判定された場合、Ｓ４１３に進み、クローズでないと判定された場合、Ｓ４１１からの処理を繰り返す。
【００３９】
ＣＰＵ２０１は、レジ前センサＳ２、定着センサＳ３からの検知信号に基づいて、搬送路上の機内残留紙の有無を判定する（Ｓ４１３）。ここで、機内残留紙が存在しないと判定された場合、Ｓ４１４に進み、機内残留紙が存在すると判定された場合、Ｓ４１１からの処理を繰り返す。ＣＰＵ２０１は、Ｓ４１２でクローズと判定され、Ｓ４１３で機内残留紙が無いと判定されると、Ｓ４１１で表示したシートの残留位置情報を取り消す（Ｓ４１４）。その後、図４の処理を終了する。Ｓ４１４におけるシートの残留位置情報の取り消しは、例えば、ジャムが解除された旨のメッセージであっても良い。
【００４０】
図４の処理の後は、画像形成部２０により画像形成処理が行われる。
【００４１】
以上のように、本実施形態によれば、ジャム除去の失敗により、定着圧の解除と加圧動作とが連続で行われる機会を低減することができる。その結果、定着装置におけるジャム処理にかかる時間を短縮させることができる。なお、本実施形態では、定着装置３０における圧解除機構について説明したが、シート搬送手段の中で圧解除機構が存在するものであれば同様に適用することができる。
【００４２】
（その他の実施形態）
上記の実施形態では、定着装置３０に圧解除機構が存在する場合に、定着圧の解除と加圧動作とが連続で行われる機会を低減する方法について説明した。しかし、圧解除機構が存在するかどうかに関わらず、ジャム解除の通知を一旦行った後、残留シートによって再度ジャムが発生すると、ユーザが気づかずにジャム処理が遅れてしまう可能性がある。
【００４３】
そこで、ジャムが発生してジャムを解除するよう通知した後、ジャムしたシートを取り除き、かつ搬送路上のシートが検出されない場合でも、検出されずに隠れているシートがないかを確認するため、搬送路上の搬送手段を駆動し、それでもシートが検出されない場合に、ジャム解除の通知を行うようにしても良い。その結果、ユーザは繰り返しジャム処理をすることがないので、定着装置におけるジャム処理にかかる時間を短縮させることができる。
【符号の説明】
【００４４】
３０  定着部：  １００  画像形成装置：  ２０１  ＣＰＵ：  ２０２  ＲＯＭ：  ２０３  ＲＡＭ
【図１】
2018010052.tif 000003
【図２】
2018010052.tif 000004
【図３】
2018010052.tif 000005
【図４】
2018010052.tif 000006